(57)【要約】      （修正有）【課題】フロストフリー運転を可能とするヒートポンプシステムの小型化を実現し得るヒートポンプシステムを提供する。【解決手段】ケーシングＩの内部を仕切板１５で２分割して一方の部屋ＩＡに第２の熱交換器４を配設し、他方の部屋ＩＢに第３の熱交換器６を配設するとともに、圧縮機１、第１の熱交換器２、膨張弁３および他の膨張弁５を部屋ＩＡまたはＩＢのいずれかに収納し、さらに部屋ＩＡに外部の空気を取り込み得るよう開閉可能に形成されたダンパ１０と、部屋ＩＢから空気を排出し得るよう開閉可能に形成されたダンパ１１と、仕切板１５に設けた開口部１５Ａを介して部屋ＩＡから部屋ＩＢに流入した空気が部屋ＩＡと部屋ＩＢとを循環し得るように部屋ＩＡと部屋ＩＢとの間を開閉可能に連通するダンパ１２と、部屋ＩＢに配設され、ケーシングＩに対する空気の取り込み、排出または循環を行うためのファン８とを備えた。【選択図】図４
2016200296.tif 000002
【特許請求の範囲】
【請求項１】
圧縮機から吐出された冷媒が、第１の熱交換器、膨張弁、吸着材付き熱交換器である第２の熱交換器、他の膨張弁および第３の熱交換器を経て前記圧縮機に戻る前記冷媒の循環路を有するヒートポンプシステムであって、
密閉空間を形成しているケーシングの内部を仕切板で２分割して一方の部屋に前記第２の熱交換器を配設し、他方の部屋に前記第３の熱交換器を配設するとともに、前記圧縮機、前記第１の熱交換器、前記膨張弁および前記他の膨張弁を前記一方または他方の部屋のいずれかに収納し、
さらに前記一方の部屋に外部の空気を取り込み得るよう開閉可能に形成された第１の開閉手段と、
前記他方の部屋から空気を排出し得るよう開閉可能に形成された第２の開閉手段と、
前記仕切板に設けた開口部を介して一方の部屋から他方の部屋に流入した空気が前記一方の部屋と前記他方の部屋とを循環し得るように前記一方の部屋と前記他方の部屋との間を開閉可能に連通する第３の開閉手段と、
前記一方の部屋または前記他方の部屋のいずれかに配設され、前記ケーシングに対する空気の取り込み、排出または循環を行うための送風手段とを備えたことを特徴とするヒートポンプシステム。
【請求項２】
請求項１に記載するヒートポンプシステムにおいて、
前記送風手段は、前記第３の熱交換器に一体的に組み込んだことを特徴とするヒートポンプシステム。
【請求項３】
請求項１または請求項２に記載するヒートポンプシステムにおいて、
前記ケーシングは前記一方の部屋と前記他方の部屋とが垂直方向に並ぶように前記仕切板で仕切ったことを特徴とするヒートポンプシステム。
【請求項４】
請求項１または請求項２に記載するヒートポンプシステムにおいて、
前記ケーシングは前記一方の部屋と前記他方の部屋とが水平方向に並ぶように前記仕切板で仕切ったことを特徴とするヒートポンプシステム。
【発明の詳細な説明】
【技術分野】
【０００１】
本発明はヒートポンプシステムに関し、特に空気を熱源とするヒートポンプシステムにおいてフロストフリー（無着霜）運転を行う場合に適用して有用なものである。
【背景技術】
【０００２】
従来技術に係る空気を熱源とするヒートポンプの基本的な構成は、冷媒を圧縮する圧縮機、該圧縮機で圧縮された高温・高圧の冷媒を用いて被加熱媒体を加熱する凝縮器またはガスクーラー等で形成した第１の熱交換器、該第１の熱交換器で熱交換された冷媒を膨張させる膨張弁及び該膨張弁で膨張された低温の冷媒を蒸発させて空気と熱交換させるとともに熱交換後の冷媒を前記圧縮機に戻す蒸発器で形成した第２の熱交換器を有しており、圧縮機から第１の熱交換器、膨張弁、第２の熱交換器を経て圧縮機に至る冷媒の循環路を形成することにより空気の熱を利用して第１の熱交換器における被加熱媒体を加熱するようになっている（例えば特許文献１参照）。
【０００３】
かかるヒートポンプシステムでは、外気低温、高湿度運転時に蒸発器として機能している第２の熱交換器に着霜し、受熱量の低下や伝熱性能の悪化を生起するので適宜デフロスト運転をおこなう必要があるが、かかるデフロスト運転中は、ヒートポンプシステムによる被加熱媒体の加熱を中断する必要があり、このことが運転効率の低下の原因となる。
【０００４】
そこで、本発明等は、デフロスト運転をすることなく空気と熱交換する熱交換器の着霜を防止してフロストフリー（無着霜）運転を可能とするヒートポンプシステムを提案した。これは、直列に連結した吸着材付き熱交換器と通常の熱交換器との間で、吸着モード運転と、脱着モード運転との２種類の運転を行うことによりフロストフリー（無着霜）運転を可能にするものである（特許文献２参照）。
【先行技術文献】
【特許文献】
【０００５】
【特許文献１】特開２０１０−０５４１３６号公報
【特許文献２】特開２０１２−１５９２７３号公報
【発明の概要】
【発明が解決しようとする課題】
【０００６】
しかしながら特許文献２に開示するヒートポンプシステムでは、吸着モード運転と、脱着モード運転との２種類の運転を行うために空気流路を新たに追加しているので、システムの占有面積が増大してしまうという新たな問題を生起する。
【０００７】
本発明は、上記従来技術に鑑み、特許文献２に示すようなフロストフリー（無着霜）運転を可能とするヒートポンプシステムの占有面積を可及的に縮小して小型化を実現し得るヒートポンプシステムを提供することを目的とする。
【課題を解決するための手段】
【０００８】
上記目的を達成する本発明の第１の態様は、
圧縮機から吐出された冷媒が、第１の熱交換器、膨張弁、吸着材付き熱交換器である第２の熱交換器、他の膨張弁および第３の熱交換器を経て前記圧縮機に戻る前記冷媒の循環路を有するヒートポンプシステムであって、
密閉空間を形成しているケーシングの内部を仕切板で２分割して一方の部屋に前記第２の熱交換器を配設し、他方の部屋に前記第３の熱交換器を配設するとともに、前記圧縮機、前記第１の熱交換器、前記膨張弁および前記他の膨張弁を前記一方または他方の部屋のいずれかに収納し、
さらに前記一方の部屋に外部の空気を取り込み得るよう開閉可能に形成された第１の開閉手段と、
前記他方の部屋から空気を排出し得るよう開閉可能に形成された第２の開閉手段と、
前記仕切板に設けた開口部を介して一方の部屋から他方の部屋に流入した空気が前記一方の部屋と前記他方の部屋とを循環し得るように前記一方の部屋と前記他方の部屋との間を開閉可能に連通する第３の開閉手段と、
前記一方の部屋または前記他方の部屋のいずれかに配設され、前記ケーシングに対する空気の取り込み、排出または循環を行うための送風手段とを備えたことを特徴とするヒートポンプシステムにある。
【０００９】
本態様によれば、ケーシングの内部を空気の流通路として吸着モードの運転のみならず脱着モードの運転の際の空気循環も行わせることができるので、当該ヒートポンプシステムの機能を発揮させるための各種機器を必要最小限度の空間にコンパクトに纏めることができる。
【００１０】
本発明の第２の態様は、
第１の態様に記載するヒートポンプシステムにおいて、
前記送風手段は、前記第３の熱交換器に一体的に組み込んだことを特徴とするヒートポンプシステムにある。
【００１１】
本態様によれば、送風手段と第３の熱交換器との一体化によりケーシング内においてこれらの部品の占める面積を最小にすることができる。
【００１２】
本発明の第３の態様は、
第１または第２の態様に記載するヒートポンプシステムにおいて、
前記ケーシングは前記一方の部屋と前記他方の部屋とが垂直方向に並ぶように前記仕切板で仕切ったことを特徴とするヒートポンプシステムにある。
【００１３】
本発明の第４の態様は、
請求項１または請求項２に記載するヒートポンプシステムにおいて、
前記ケーシングは前記一方の部屋と前記他方の部屋とが水平方向に並ぶように前記仕切板で仕切ったことを特徴とするヒートポンプシステム。
【発明の効果】
【００１４】
本発明によれば、ケーシングの内部を空気の流通路として吸着モードの運転のみならず脱着モードの運転の際の空気循環も行わせることができる。この結果、当該ヒートポンプシステムの機能を発揮させるための各種機器を必要最小限度の空間にコンパクトに纏めることができる。すなわち、吸着材付き熱交換器である第２の熱交換器および通常の熱交換器である第３の熱交換器をタンデム接続し、両方を蒸発器として機能させる吸着モード運転と第２の熱交換器を凝縮器として機能させるとともに第３の熱交換器のみ蒸発器として機能させることでフロストフリー運転を実現したヒートポンプシステムの占有面積を可及的に縮小し得る。
【図面の簡単な説明】
【００１５】
【図１】特許文献２に開示するヒートポンプシステムを示すブロック線図である。
【図２】図１に示すヒートポンプシステムにおける吸着モード運転時のブロック線図である。
【図３】図１に示すヒートポンプシステムにおける脱着モード運転時のブロック線図である。
【図４】本発明の実施の形態に係るヒートポンプシステムの構造を示す概略斜視図である。
【図５】図４に示すヒートポンプシステムにおける吸着モード運転時の態様を示す概略斜視図である。
【図６】図４に示すヒートポンプシステムにおける脱着モード運転時の態様を示す概略斜視図である。
【発明を実施するための形態】
【００１６】
以下、本発明の実施の形態を図面に基づき詳細に説明する。
図１は特許文献２に開示するヒートポンプシステムを示すブロック線図である。同図に示すように、本形態に係るヒートポンプシステムは、冷媒を圧縮する圧縮機１から第１の熱交換器２、膨張弁３、吸着材付の熱交換器である第２の熱交換器４、他の膨張弁である膨張弁５、第３の熱交換器６を経て圧縮機１に戻る冷媒の循環路を形成している。かくして、第２および第３の熱交換器４，６で熱交換される空気を熱源として第１の熱交換器２で熱交換される被加熱媒体を加熱するように構成してある。ここで、第１の熱交換器２は圧縮機１で圧縮された高温・高圧の冷媒を用いて被加熱媒体を加熱する凝縮器やＣＯ２冷媒を用いる場合のガスクーラーで構成してある。第２の熱交換器４は膨張弁３で膨張させた低温の冷媒を蒸発させて空気と熱交換させる熱交換器（以下、吸着熱交換器という）として機能するとともに、膨張弁３を全開とすることにより前記吸着熱交換器で吸着した水分を脱着する熱交換器（以下、脱着熱交換器）としても機能する。第３の熱交換器６は第２の熱交換器４に対してタンデムに接続してあり、常に蒸発器として機能する。
【００１７】
空気流路７は第２の熱交換器４と第３の熱交換器６でそれぞれ熱交換を行う空気を、ファン８の吸引力により第２の熱交換器４側から第３の熱交換器６側に向けて流通させる。さらに詳言すると、空気流路７は、基本的には第２の熱交換器４側の空気吸入口から外気ＯＡを吸入して第２の熱交換器４および第３の熱交換器６を通過した後、第３の熱交換器６側の空気排気口から排気ＥＡを排出するように構成してある。さらに、空気流路７は、第２の熱交換器４側の空気吸入口と第３の熱交換器６側の空気排出口との間で循環空気ＲＡを流通させるためのバイパス通路９を有するとともに、空気の通路を切替える第１〜第３の切替手段としてのダンパ１０，１１，１２を有している。ここで、ダンパ１０は空気吸入口の近傍でバイパス通路９の出口の上流位置に、ダンパ１１は空気排出口の近傍でバイパス通路９の入口の下流位置に、ダンパ１２はバイパス通路９の途中にそれぞれ配設されている。かくして、ダンパ１０，１１を開き、且つダンパ１２を閉じた状態で、前記空気吸入口から流入した外気ＯＡが第２および第３の熱交換器４，６で熱交換して前記空気排出口から排気ＥＡとして排出されるモードと、ダンパ１０，１１を閉じ、且つダンパ１２を開いた状態で、第２および第３の熱交換器で熱交換しつつ循環空気ＲＡがバイパス通路９を介して循環されるモードとの２種類のモードで運転される。
【００１８】
空気流路７における第２の熱交換器４の入口側と出口側とには絶対湿度センサ１３，１４が配設してある。かかる絶対湿度センサ１３，１４が計測する第２の熱交換器４の入口側と出口側との絶対湿度を比較することにより吸着材が平衡吸着状態に至ったことを検出できる。平衡吸着状態では熱交換器４の入口側と出口側との絶対湿度に差がなくなるからである。
【００１９】
かかる本形態では、膨張弁３で膨張させた低温の冷媒を蒸発させて空気と熱交換させる吸着熱交換器として第２の熱交換器４を機能させる吸着モード運転と、膨張弁３を全開とすることにより脱着熱交換器として第２の熱交換器を機能させる脱着モード運転との２種類の運転を行うことができる。
【００２０】
かかる吸着モード運転および脱着モード運転の態様とともに、本形態に係るヒートポンプシステムの作用を説明する。図２は吸着モード運転時の態様を示すブロック線図、図３は脱着モード運転時の態様を示すブロック線図である。
【００２１】
図２に示す吸着モード運転は、第１及び第２の膨張弁３，５を絞り、第２の熱交換器４を吸着熱交換器として機能させ、第３の熱交換器６を蒸発器として機能させることにより行う。また、当該運転モードでは、ダンパ１０，１１を開き、且つダンパ１２を閉じて空気流路７の空気吸入口から外気ＯＡを取込むとともに、第２の熱交換器４における熱交換に伴い水分が吸着されて乾燥した吸着空気ＡＡを第３の熱交換器６でさらに熱交換し、その後空気排出口から排気ＥＡとして排出する。
【００２２】
かかる吸着モード運転では、圧縮機１で圧縮されて高温高圧となった冷媒が、凝縮器として機能する第１の熱交換器２で被加熱媒体を加熱した後、第１の膨張弁３に至る。第１の膨張弁３で冷媒を断熱膨張させることにより第２の熱交換器４が吸着熱交換器として機能して空気流路７を流通することにより熱交換される空気の除湿乾燥を行うことができる。同時に、第２の熱交換器４で熱交換した冷媒を第２の膨張弁５で膨張させることにより第２の熱交換器４にタンデムに接続された第３の熱交換器６を蒸発器として機能させることができる。ここで、第３の熱交換器６では第２の熱交換器４で熱交換されて除湿乾燥され、露点温度が第３の熱交換器６の蒸発温度より低くなっている吸着空気ＡＡと熱交換させることができるので、第３の熱交換器６における着霜を防止することができる。
【００２３】
この結果、被加熱媒体を加熱するというヒートポンプシステムとしての本来の運転は阻害されることなく、フロストフリー運転が可能になる。ここで、第２の膨張弁５における開度を調整することにより第３の熱交換器６における蒸発温度の制御が可能になり、しかも吸着熱交換器として機能する第２の熱交換器４と第３の熱交換器６におけるそれぞれの冷媒蒸発温度が異なるので、吸着材の吸着過程において、熱源空気の潜熱と顕熱とを分けて利用することが可能になる。
【００２４】
かかる吸着モード運転を継続すると第２の熱交換器４における吸着材が平衡吸着状態となり、空気中の水分の吸着・除去能力がなくなる。したがって、吸着材が平衡吸着状態となった場合には、脱着モード運転を行って吸着材の再生を行う必要がある。そこで、平衡吸着状態が絶対湿度センサ１３，１４により検出された場合には、脱着モード運転に移行させる。
【００２５】
図３に示す脱着モード運転は、第１の膨張弁３を全開とし、第２の膨張弁５のみを絞ることにより、第２の熱交換器４を脱着熱交換器として機能させ、第３の熱交換器６のみを蒸発器として機能させることにより行う。また、当該運転モードではダンパ１０，１１を閉じ、且つダンパ１２を開いて第２の熱交換器４で熱交換した脱着空気ＤＡがバイパス通路９を介し循環空気ＲＡとして循環されるようにしておく。
【００２６】
かかる脱着モード運転でも、圧縮機１で圧縮されて高温高圧となった冷媒が第１の熱交換器２で被加熱媒体を加熱する。その後、冷媒は第１の膨張弁３で膨張されることなくこれを通過し第２の熱交換器４に至る。この結果、第２の熱交換器４が脱着熱交換器として機能する。これに伴い第２の熱交換器４で熱交換される空気が昇温されて吸着材から水を脱着させ高温高湿の脱着空気ＤＡとして第３の熱交換器６に至る。ここで、第２の熱交換器４で熱交換を行うことにより冷却された冷媒を第２の膨張弁５で断熱膨張させているので、第３の熱交換器６は蒸発器として機能する。このときの冷媒飽和温度は脱着空気ＤＡの露点温度よりも低く、０度よりも高くなるようにしておく。この結果、第１の熱交換器２による被加熱媒体の加熱は継続することができる。
【００２７】
一方、第２の熱交換器４における熱交換で高温高湿状態となった脱着空気ＤＡは第３の熱交換器６で熱交換されることにより潜熱および顕熱が回収される。この結果、脱着空気ＤＡ中の水分がそのまま外部に排出される。すなわち、吸着モード運転により吸着材に付着した水分は第２の熱交換器４から第３の熱交換器６に向けて流通する脱着空気ＤＡを媒体として第３の熱交換器６で排出することができる。このことにより吸着材が再生されて再び水分を吸着することが可能な状態となる。かかる再生完了状態は、本形態の場合、絶対湿度センサ１３，１４により検出している。
【００２８】
ここで、本形態においてはバイパス通路９を設けて空気を循環させる（脱着空気ＤＡ、循環空気ＲＡ）ようにしているが、このことにより排気損失がゼロになり、システム性能を向上させることができる。すなわち、脱着空気ＤＡを循環させることで脱着過程消費エネルギーを当該ヒートポンプシステムの蒸発熱として全部回収することができる。ただ、脱着機能のみを考慮すれば、バイパス通路９は、原理的には必ずしも必要ではない。
【００２９】
上述の如き吸着モード運転および脱着モード運転は、制御手段（図示せず）として、絶対湿度センサ１３，１４が計測する絶対湿度を表す信号に基づき所定の処理を行って、膨張弁３，５等の動作を制御することにより行う。
【００３０】
かかるヒートポンプシステムでは、空気流路７が第２の熱交換器４および第３の熱交換器６から外部に突出するとともに、バイパス通路９が第２の熱交換器４および第３の熱交換器６の外部に配設されている。このため、空気流路７およびバイパス通路９の部分に相当する占有面積が広がり全体としての大型化が避けられないものとなっている。
【００３１】
本形態は、図１に示すヒートポンプと同様のフロストフリー運転を行うことができると同時に、全体を各構成機器をコンパクトにまとめて占有面積の可及的な低減を図ったものである。図４は、本形態に係るヒートポンプシステムの構造を示す概略斜視図である。同図中、図１等に示す機器等と機能的に対応するものには同一番号を付し、重複する説明は省略する。
【００３２】
本形態では密閉空間を形成しているケーシングＩの内部を仕切板１５で、垂直方向において上下に２分割して形成した一方の部屋ＩＡまたは他方の部屋ＩＢの何れかに全ての構成部品が配設してある。さらに詳言すると、本形態では一方の部屋ＩＡに第２の熱交換器４が配設され、他方の部屋ＩＢに第３の熱交換器６が配設してある。圧縮機１、第１の熱交換器２、膨張弁３および他の膨張弁５は他方の部屋ＩＢに収納してある。
【００３３】
仕切板１５には開口部１５Ａが形成されており、開口部１５Ａを介して一方の部屋ＩＡと他方の部屋ＩＢとが連通されている。また、前記ケーシングＩの上部の壁面には、一方の部屋ＩＡに外部の空気を取り込むため、開閉可能に形成された第１の開閉手段であるダンパ１０が形成されるとともに、前記ケーシングＩの下部の壁面には、他方の部屋ＩＢから外部に空気を排出するため、開閉可能に形成された第２の開閉手段であるダンパ１１が形成されている。さらに、一方の部屋ＩＡから仕切板１５の開口部１５Ａを介して他方の部屋ＩＢに流入した空気が、一方の部屋ＩＡと他方の部屋ＩＢとの間を循環し得るように一方の部屋ＩＡと他方の部屋ＩＢとの間を開閉可能に連通する第３の開閉手段であるダンパ１２が仕切板１５に設けてある。
【００３４】
本形態における第３の熱交換器６には送風手段であるファン８が一体化して配設してある。すなわち、第３の熱交換器６のケーシングの中央部に貫通孔を設け、この貫通孔にファン８を嵌め込んである。
【００３５】
かかるヒートポンプシステムにおいて吸着モード運転を行う際には、図２に示す場合と同様に、膨張弁３を絞るとともに、膨張弁５も絞ることで冷媒を膨張させて第２の熱交換器４を吸着熱交換器として機能させる。このとき、ダンパ１０，１１を開状態、ダンパ１２を閉状態としてファン８を駆動する。この結果、図５に矢印で示すように、ダンパ１０を介してケーシングＩの一方の部屋ＩＡに外気ＯＡが取り込まれる。一方の部屋ＩＡに取り込まれた外気ＯＡは第２の熱交換器４で所定の熱交換を行った後、仕切板１５の開口部１５Ａを介して他方の部屋ＩＢに至る。他方の部屋ＩＢに取り込まれた外気ＯＡは、第３の熱交換器６でさらに所定の熱交換を行った後、ダンパ１１を介して外部に排出される。
【００３６】
一方、かかるヒートポンプシステムにおいて脱着モード運転を行う際には、膨張弁３を全開状態にすると同時に膨張弁５を絞ることで冷媒を膨張させる。同時に、ダンパ１０，１１を閉状態、ダンパ１２を開状態としてファン８を駆動する。この結果、図６に矢印で示すように、ケーシングＩ内の空気は仕切板１５の開口部１５Ａおよびダンパ１２を介して一方の部屋ＩＡと他方の部屋ＩＢとの間を循環する。このように、第２の熱交換器４が脱着熱交換器として機能し、第３の熱交換器６が蒸発器として機能しつつ一方の部屋ＩＡと他方の部屋ＩＢとの間を空気が循環するので、第２の熱交換器４における吸着材から水を脱着することができる。
【００３７】
かかる本形態によれば、第２の熱交換器４および第３の熱交換器６と熱交換する空気の流通路を循環路も含め、全てケーシングＩの内部に形成した。すなわちケーシングＩの内部空間を各機器の収納スペースのみならず空気の流通路としても兼用したので、当該ヒートポンプシステムの占有面積を可及的に小さくすることができる。すなわち、システムの小型化とフロストフリー運転とを両立させることができる。
【００３８】
上記実施の形態では、圧縮機１、第１の熱交換器２、膨張弁３および他の膨張弁５は他方の部屋ＩＢに収納してあるが、これに限るものではない。第２の熱交換器４と第３の熱交換器６とが別の部屋ＩＡ、ＩＢに配設されていれば、第２の熱交換器４と第３の熱交換器６とをタンデム接続された蒸発器として運転する吸着モードと、一方の部屋ＩＡと他方の部屋ＩＢとの間で空気を循環させつつ第２の熱交換器４を凝縮器として機能させ、第３の熱交換器６を蒸発器として機能させる脱着モードとの何れの運転も可能であるからである。
【００３９】
また、上記実施例では空気流路７における流路の切替手段はダンパ１０〜１２で形成したが、これに限るものではない。流路切替の機能を有するものであれば特に制限はない。例えば、弁等でも構わない。
【００４０】
さらに、送風手段であるファン８は第３の熱交換器６と同じ部屋ＩＢでなくても良い。ケーシングＩ内に外気を取り入れるための空気の流れを形成するとともに、ケーシングＩの一方の部屋ＩＡと他方の部屋ＩＢとの循環流を形成することができれば良いからである。
【００４１】
ケーシングＩの２つの部屋ＩＡ，ＩＢは垂直方向で隣接している必要はない。仕切板１５で２分割する構造であれば、水平方向で隣接する構造であっても、勿論構わない。
【産業上の利用可能性】
【００４２】
本発明はヒートポンプ等の熱交換機器を製造・販売する産業分野において有効に利用することができる。
【符号の説明】
【００４３】
Ｉ                ケーシング
ＩＡ、ＩＢ        部屋
１                圧縮機
２                第１の熱交換器
３                第１の膨張弁
４                第２の熱交換器
５                第２の膨張弁
６                第３の熱交換器
７                空気流路
８                ファン（送風手段）
９                バイパス通路
１０，１１，１２    ダンパ
１３，１４          絶対湿度センサ
１５                仕切板
１５Ａ              開口部
【図１】
2016200296.tif 000003
【図２】
2016200296.tif 000004
【図３】
2016200296.tif 000005
【図４】
2016200296.tif 000006
【図５】
2016200296.tif 000007
【図６】
2016200296.tif 000008